(57)【要約】      （修正有）【課題】一つの玉子切りで、ゆで玉子をきれいに中央から真っ二つに切る事と、ゆで玉子を均等に複数の輪切りに切る事と、ゆで玉子を均等に複数の輪切りに切った時の切断面が波型になるように切る事と、ゆで玉子を中央から真っ二つに切った時の切断面が波型になるように切る事の、四種類の切り方が出来る玉子切りを提供する。【解決手段】本体に窪み、凹部、凸部を設け、本体に可動式の中央に一本のワイヤーを備えたフレームと、可動式の均等間隔に複数のワイヤーを備えたフレームを設け、さらに本体にガイド柱を設け、そのガイド柱と組み合って自由に上下にスライド可能な、均等間隔に複数の波型のワイヤーを備えたフレームと中央に一本の波型のワイヤーを備えたフレームを設けた事を特徴としている。【選択図】図１
2005138269.tif 000002
【特許請求の範囲】
【請求項１】
本体に窪み、凹部、凸部を設け、本体に可動式の中央に一本のワイヤーを備えたフレームと、可動式の中央に一本の波型のワイヤーを備えたフレームを設けた事を特徴とする、玉子切り。
【請求項２】
本体に窪み、凹部、凸部を設け、本体に可動式の中央に一本のワイヤーを備えたフレームと、本体にガイド柱を設け、そのガイド柱に組み合って自由に上下にスライドする、中央に一本の波型のワイヤーを備えたフレームを設けた事を特徴とする、玉子切り。
【請求項３】
本体に窪み、凹部、凸部を設け、本体に可動式の中央に一本のワイヤーを備えたフレームと、可動式の均等間隔に複数のワイヤーを備えたフレームを設け、本体に可動式の均等間隔に複数の波型のワイヤーを備えたフレームと、可動式の中央に一本の波型のワイヤーを備えたフレームを設けた事を特徴とする、玉子切り。
【請求項４】
本体に窪み、凹部、凸部を設け、本体に可動式の中央に一本のワイヤーを備えたフレームと、可動式の均等間隔に複数のワイヤーを備えたフレームを設け、本体にガイド柱を設け、そのガイド柱に組み合って自由に上下にスライドする、均等間隔に複数の波型のワイヤーを備えたフレームと、中央に一本の波型のワイヤーを備えたフレームを設けた事を特徴とする、玉子切り。
【発明の詳細な説明】
【発明の詳細な説明】
【産業上の利用分野】
【０００１】  本発明は、一つの玉子切りで、ゆで玉子を簡単にしかもきれいに中央から真っ二つに切る事と、ゆで玉子を均等に複数の輪切りに切る事と、ゆで玉子を均等に複数の輪切りに切った時の切断面が波型になるように切る事と、ゆで玉子を中央から真っ二つに切った時の切断面が波型になるように切る事の、四種類の切り方が出来る玉子切りに関するものである。
【背景技術】
【０００２】  従来、ゆで玉子を中央から真っ二つに着る場合、人が手のひらの上にゆで玉子を乗せて、金属のワイヤー、又は糸等を使って切っていたり、包丁を使って真ん中から切っていた。
又、ゆで玉子を複数のワイヤーで、均等に複数の輪切りにする玉子切りは従来あった。又、ゆで玉子を複数の波型のワイヤーで、均等に複数の輪切りにする玉子切りも従来あった。又、一本の波型のワイヤーで、ゆで玉子を中央から真っ二つに切る玉子切りは従来無かった。
【発明が解決しようとする課題】
【０００３】  従来、ゆで玉子を真ん中から真っ二つに切る時に、人が手のひらの上にゆで玉子を乗せて、金属のワイヤー、又は糸等を使って切る方法は、人が手のひらの上でだいたいの目安でゆで玉子の真ん中を切っていたので、正確に真ん中を切る事は難しかった。又、手のひらの上で切っていたので、切る時にゆで玉子が動いたりして切り口をあまりきれいに切る事が出来なかった。又、包丁を使用してゆで玉子を真ん中で切った場合、包丁でゆで玉子の黄身がつぶれたりして、切り口があまりきれいに切れなかった。
又、複数のワイヤーで、ゆで玉子を均等に輪切りにする玉子切りは、ゆで玉子を均等に複数の輪切りにするという、一つの方法でしかゆで玉子を切る事が出来なかった。又、複数の波型のワイヤーで、ゆで玉子を均等に輪切りにする玉子切りは、ゆで玉子の切断面が波型になり、しかも均等に複数の輪切りにするという、一つの方法でしかゆで玉子を切る事が出来なかった。
【課題を解決するための手段】
【０００４】  以上の欠点を無くすために、本発明の玉子切りにおいては、本体に窪み、凹部、凸部を設け、本体に可動式の中央に一本のワイヤーを備えたフレームと、可動式の均等間隔に複数のワイヤーを備えたフレームを設け、さらに本体にガイド柱を設け、そのガイド柱に組み合って自由に上下にスライド可能な、均等間隔に複数の波型のワイヤーを備えたフレームと、中央に一本の波型のワイヤーを備えたフレームを設けたものである。
【作用】
【０００５】  ゆで玉子を、真ん中から真っ二つに切る場合、ゆで玉子を本体の窪みの上に置き、中央に一本のワイヤーを備えたフレームでゆで玉子を切る。すると、本体の窪みにゆで玉子がピッタリ入り固定され、一本のワイヤーが本体の中央の凹部の底まで届くので、ゆで玉子の真ん中を正確に切る事が出来る。しかも、ピンと張ったワイヤーで切るので、切り口もきれいに切る事が出来る。さらに、ゆで玉子を均等に複数の輪切りにする場合は、複数のワイヤーを備えたフレームで切る事が出来る。さらに、ゆで玉子の切断面が波型になるように切る場合は、複数の波型のワイヤーを備えたフレームと、中央に一本の波型のワイヤーを備えたフレームで切る事が出来る。
【実施例】
【０００６】  実施例１
実施例１を第１図に基づいて説明する。実施例１では本体（１）に窪み（２）、凹部（３）、凸部（４）、中央に一本のワイヤーを備えたフレーム（５）、複数のワイヤーを備えたフレーム（６）、ガイド柱（７）、複数の波型のワイヤーを備えたフレーム（８）、中央に一本の波型のワイヤーを備えたフレーム（９）を設けている。これを使用する時は、ゆで玉子を真ん中から真っ二つに切る場合、ゆで玉子を本体（１）の窪み（２）の上に置き、中央に一本のワイヤーを備えたフレーム（５）の片方を指で持って、ワイヤー（１０）が本体（１）の凹部（３）の底に届くまで、中央に一本のワイヤーを備えたフレーム（５）を押し下げる。すると、本体（１）の窪み（２）にゆで玉子がピッタリ入り固定され、ワイヤー（１０）が本体（１）の真ん中の凹部（３）の底まで届くので、ゆで玉子の真ん中を正確に切る事が出来る。しかも、ピンと張ったワイヤー（１０）で切るので、切り口もきれいに切る事が出来る。さらに、ゆで玉子を均等に複数の輪切りにする場合は、中央に一本のワイヤーを備えたフレーム（５）のワイヤー（１０）が本体（１）の凹部（３）の底に届くまで中央に一本のワイヤーを備えたフレーム（５）を倒してから、ゆで玉子を本体（１）の窪み（２）の上に置き、複数のワイヤーを備えたフレーム（６）の片方を指で持ってワイヤー（１０）が本体（１）の凹部（３）の底に届くまで、複数のワイヤーを備えたフレーム（６）を押しさげる。すると、ゆで玉子を均等に複数の輪切りにする事が出来る。さらに、ゆで玉子の切断面が波型になるように均等で複数の輪切りにする場合は、中央に一本のワイヤーを備えたフレーム（５）と複数のワイヤーを備えたフレーム（６）を外側に倒すか又は、内側に倒してから、ゆで玉子を本体（１）の窪み（２）の上に置き、複数の波型のワイヤーを備えたフレーム（８）を本体（１）のガイド柱（７）と組み合わせ、複数の波型のワイヤーを備えたフレーム（８）をガイド柱（７）にそって垂直に真下に押し下げて、ゆで玉子を切る。
又、ゆで玉子を真っ二つに切った時の切断面が波型になるように切る場合は、中央に一本のワイヤーを備えたフレーム（５）と複数のワイヤーを備えたフレーム（６）を外側に倒すか又は、内側に倒してから、ゆで玉子を本体（１）の窪み（２）の上に置き、中央に一本の波型のワイヤーを備えたフレーム（９）を本体（１）のガイド柱（７）と組み合わせ、中央に一本の波型のワイヤーを備えたフレーム（９）をガイド柱（７）にそって垂直に真下に押し下げて、ゆで玉子を切る。尚、中央に一本のワイヤーを備えたフレーム（５）と、複数のワイヤーを備えたフレーム（６）の上下の位置は逆でも良い。
実施例２
実施例２を第２図に基づいて説明する。実施例２では本体（１）に中央に一本のワイヤーを備えたフレーム（５）と、中央に一本の波型のワイヤーを備えたフレーム（９）だけを設けている。
【発明の効果】
【０００７】  本発明は、以上説明したように構成されているので、以下に記載されるような効果を奏する。
本体に窪み、凹部、凸部、可動式の中央に一本のワイヤーを備えたフレーム、可動式の均等間隔に複数のワイヤーを備えたフレーム、均等間隔に複数の波型のワイヤーを備えたフレーム、中央に一本の波型のワイヤーを備えたフレームを設けた事により、ゆで玉子を正確に真ん中から真っ二つに切る事が出来、しかも切断面もきれいに切れて、さらに、ゆで玉子を均等に複数の輪切りに切ったり、ゆで玉子を均等に複数の輪切りに切った時の切断面が波型になるように切ったり、真っ二つに切った時の切断面が波型になるように切る事が出来るという、四つの切り方が出来る事を実現した。
さらに、本体にガイド柱を設ける事により、ガイド柱にそって均等間隔に複数の波型のワイヤーを備えたフレームと、中央に一本の波型のワイヤーを備えたフレームを垂直に真下に押し下げて切る事が出来るので、ゆで玉子を切った時の切断面を真っ直ぐできれいな波型に切る事が出来る。
【図面の簡単な説明】
【図１】  実施例１を示す斜視図
【図２】  実施例２を示す斜視図
【符号の説明】
１本体
２窪み
３凹部
４凸部
５中央に一本のワイヤーを備えたフレーム
６複数のワイヤーを備えたフレーム
７ガイド柱
８複数の波型のワイヤーを備えたフレーム
９中央に一本の波型のワイヤーを備えたフレーム
１０ワイヤー
【図１】
2005138269.tif 000003
【図２】
2005138269.tif 000004